(57)【要約】  ＬＥＤ発光ユニットは、タイルと、複数の個別のＬＥＤ光源と、および端部コネクタとを含んでいる。前記ＬＥＤ光源は、前記タイルの主面上にあり、全面に渡って分散していて、前記タイルの端部領域に沿って並んでいる電気的パッドに電気的に接続される。前記端部コネクタは、前記端部コネクタから離れるように伸びている複数の導線に接続している複数のコンタクトを含んでいて、前記コンタクトが前記パッドに直接接続し、前記端部コネクタの前記導線を前記ＬＥＤ光源に電気的に接続するように前記タイルの端部に着脱式に接続するように構成されている。ＬＥＤ照明用組立品は、複数の板に搭載された複数の前記個別のタイルと、前記板の別々の１つに沿っている前記タイルの端部の１つにそれぞれ接続された複数の端部コネクタとを含んでいる。
2009516357.tif 000002
【特許請求の範囲】
【請求項１】
タイルと、
前記タイルの主表面上にあって分散していて、前記タイルの端部領域に沿った電気的なパッドに電気的に接続している複数の個別のＬＥＤ光源と、
複数のコンタクトを備えた端部コネクタであって、前記端部コネクタから離れていくように伸びている複数の導線に接続していて、前記端部コネクタは前記タイルの端部に着脱式に接続し、前記コンタクトが前記パッドに直接接続して、前記端部コネクタの前記導線を前記ＬＥＤ光源に電気的に接続するように構成されている端部コネクタと、
を備えたＬＥＤ発光ユニット。
【請求項２】
前記端部コネクタは、そこに区画された複数の凹んだ溝を持つ本体を備え、前記凹んだ溝のそれぞれは、前記端部コネクタの導線の１本の１部を前記タイルから離れるようにガイドするように構成されていることを特徴とする、請求項１に記載のＬＥＤ発光ユニット。
【請求項３】
前記凹んだ溝のそれぞれは、前記端部コネクタの導線の１本の１部分に着脱可能式に接続され、前記導線の接続部分を前記タイルの主面の面から０ではない角度を以ってガイドするように構成されることを特徴とする、請求項２に記載のＬＥＤ発光ユニット。
【請求項４】
前記凹んだ溝のそれぞれは、前記導線の接続部分を前記タイルの主表面の面から約９０°の角度を以ってガイドする様に構成されることを特徴とする、請求項３に記載のＬＥＤ発光ユニット。
【請求項５】
前記ＬＥＤ光源のそれぞれ1つは、封じ剤内に少なくとも１つのＬＥＤチップを備えること、および
前記タイルの主面上の前記端部コネクタの高さは、前記タイルの主面上の前記ＬＥＤ光源の前記封じ剤の高さ以上ではないこと、
を特徴とする、請求項１に記載のＬＥＤ発光ユニット。
【請求項６】
高い光反射率を持つ材料を含み、中に開口を区画する反射器パネルを更に備え、
前記反射器パネルは前記タイルの主面に亘って広がり、前記開口は前記複数のＬＥＤ光源と位置合わせされていて、
前記タイルの前記主面上の前記端部コネクタの高さは、前記タイルの主面上の前記反射器 パネルの外側の主面の高さ以上ではない、
ことを特徴とする、請求項１に記載のＬＥＤ発光ユニット。
【請求項７】
前記端部コネクタは、前記端部コネクタが前記タイルに接続されるときに、前記タイルの主面内に在る開口に着脱式でロックするように構成された固定機構を備えることを特徴とする、請求項１に記載のＬＥＤ発光ユニット。
【請求項８】
前記端部コネクタは、空洞内へ拡がっているこぶを区画する内面を有する空洞を持つ本体を備え、前記端部コネクタのコンタクトが前記タイルのパッドに直接接続され、前記端部コネクタの前記導線を前記ＬＥＤ光源に電気的に接続するときに、前記こぶが、前記タイルの主面内の開口部と係合するように、前記こぶは、前記空洞内のある位置に配置されることを特徴とする、請求項７に記載のＬＥＤ発光ユニット。
【請求項９】
前記端部コネクタは、内面を有する空洞を持つ本体を備え、固定機構は空洞内へ拡がっている湾曲てこを備え、前記端部コネクタのコンタクトが前記タイルのパッドに直接接続され、前記端部コネクタの前記導線を前記ＬＥＤ光源に電気的に接続するときに、前記レバーの終端部分が前記タイルの主面内の開口部に係合するように配置されていることを特徴とする、請求項７に記載のＬＥＤ発光ユニット。
【請求項１０】
前記端部コネクタは本体を備え、前記固定機構は前記本体の中央部に沿って拡がり、前記端部コネクタのコンタクトが前記タイルのパッドに直接接続するときに、前記タイルの主面内の前記開口部上へ着脱式に固定されることを特徴とする、請求項７に記載のＬＥＤ発光ユニット。
【請求項１１】
前記端部コネクタは、１つの平面に沿って前記導線を保持するように配置された本体を備え、前記固定機構は前記本体の少なくとも1部分をとおって広がり、前記面に沿った前記導線を2つのグループに分離することを特徴とする、請求項７に記載のＬＥＤ発光ユニット。
【請求項１２】
前記固定機構は、前記平面に沿った前記導線を2つの等しいグループに分離するために前記本体の少なくとも1部分を通って広がることを特徴とする、請求項１１に記載のＬＥＤ発光ユニット。
【請求項１３】
前記端部コネクタは、前記第１のグループの導線を前記ＬＥＤ光源の陰極端子ではなくて陽極端子に接続されたタイル上パッドへ位置合わせして接続するように構成されていて、前記第２のグループの導線を前記ＬＥＤ光源の陽極端子ではなくて陰極端子に接続されたタイル上パッドへ位置合わせして接続するように構成されていることを特徴とする、請求項１２に記載のＬＥＤ発光ユニット。
【請求項１４】
前記端部コネクタは、高い散乱光反射率を有する材料を含んで構成されることを特徴とする、請求項１に記載のＬＥＤ発光ユニット。
【請求項１５】
前記端部コネクタは、明るい白色の材料を含んで構成されることを特徴とする、請求項１４に記載のＬＥＤ発光ユニット。
【請求項１６】
前記端部コネクタが前記タイルに接続されるときに、前記端部コネクタは、前記端部コネクタのコンタクトの異なる1つを前記タイル上パッドの異なる1つに位置あわせして直接接続するように構成されることを特徴とする、請求項１に記載のＬＥＤ発光ユニット。
【請求項１７】
前記ＬＥＤ光源のそれぞれ1つは、複数のＬＥＤチップを含み、前記ＬＥＤチップのそれぞれは、前記タイル上パッドの異なる対に電気的に接続され、
前記端部コネクタは、前記複数の導線の異なる対を前記タイル上パッドを経由して前記ＬＥＤチップの異なる1つへ電気的に接続するように構成される、
ことを特徴とする、請求項１６に記載のＬＥＤ発光ユニット。
【請求項１８】
前記ＬＥＤ光源のそれぞれ1つは、前記タイル上パッドの第１の対に接続された赤色ＬＥＤチップと、前記タイル上パッドの第２の対に接続された緑色ＬＥＤチップと、前記タイル上パッドの第３の対に接続された青色ＬＥＤチップとを備え、
前記端部コネクタは前記導線の第１の対を前記タイル上パッドの第１の対を経由して前記赤色ＬＥＤチップへ電気的に接続するように構成され、前記導線の第２の対を前記タイル上パッドの第２の対を経由して前記緑色ＬＥＤチップへ電気的に接続するように構成され、前記導線の第３の対を前記タイル上パッドの第３の対を経由して前記青色ＬＥＤチップへ電気的に接続するように構成される、
ことを特徴とする、請求項１６に記載のＬＥＤ発光ユニット。
【請求項１９】
前記複数のコネクタの導線は、その長さの大部分に亘って相互に分離していて、相対関係において独立に柔軟性を持っていることを特徴とする、請求項１に記載のＬＥＤ発光ユニット。
【請求項２０】
前記複数のコネクタの導線は、リボン状のケーブルを含んで構成されることを特徴とする、請求項１に記載のＬＥＤ発光ユニット。
【請求項２１】
前記端部コネクタは、前記ＬＥＤ光源の最も近くの1つに隣接してノッチ付の角（かど）を有する本体を備えることを特徴とする、請求項１に記載のＬＥＤ発光ユニット。
【請求項２２】
前記ＬＥＤ 光源は前記タイル上に前記接続された端部コネクタから遠ざかる方向に伸びているジグザグ状の格子状に配置されることを特徴とする、請求項２１に記載のＬＥＤ発光ユニット。
【請求項２３】
ＬＥＤ光源のそれぞれ1つは、封じ剤の中に少なくとも１つのＬＥＤチップを備え、
前記少なくとも１つのＬＥＤチップより上の前記端部コネクタの高さおよび前記端部コネクタの上表面から前記少なくとも１つのＬＥＤチップまでの最も近い距離は、前記少なくとも１つのＬＥＤチップから前記端部コネクタの直近の上面への接線光線の角度が水平に対して３０°を超えないように構成されている、
ことを特徴とする、請求項１に記載のＬＥＤ発光ユニット。
【請求項２４】
ＬＥＤ光源のそれぞれ1つは、封じ剤の中に少なくとも１つのＬＥＤチップを備え、
前記少なくとも１つのＬＥＤチップより上の前記端部コネクタの高さ、および前記端部コネクタの上表面から前記少なくとも１つのＬＥＤチップまでの最も近い距離は、前記少なくとも１つのＬＥＤチップから前記端部コネクタの直近の上面への接線光線の角度が水平に対して７°を超えないように構成されている、
ことを特徴とする、請求項２３に記載のＬＥＤ発光ユニット。
【請求項２５】
前記タイルは、その端部に沿って少なくとも１つの刻み目を備え、
前記端部コネクタは、中に区画された空洞を持つ本体と、前記空洞の少なくとも１部分に沿って本体から伸びている少なくとも１つの長く伸びた部材とを備え、前記端部コネクタの上面が前記タイルの上面に関して上に向いているときは、前記空洞の中に位置する前記長く伸びた部材は、前記タイルの中の刻み目へスライドして、前記端部コネクタをガイドして、前記端部コネクタのコンタクトと前記タイル上パッドとを位置合わせをし、前記端部コネクタの下面が前記タイルの上面に関して上に向いているときは、前記端部コネクタの前記タイルへの接続を阻止するように構成されている、
ことを特徴とする、請求項１に記載のＬＥＤ発光ユニット。
【請求項２６】
複数の個別のタイルであって、前記タイルのそれぞれは、前記タイルの主面上に分散していて、前記タイルの端部領域に沿っている電気的パッドに電気的に接続している複数の個別のＬＥＤ光源を備えた、複数の個別のタイルと、
複数の板であって、前記板のそれぞれに複数の前記タイルが搭載され、機械的に支持されて平面アレイ状に配列された複数の板-タイル組立品を形成することを特徴とする、複数の板と、
複数の端部コネクタであって、前記端部コネクタのそれぞれは、前記端部コネクタから離れるように伸びている複数の導線に接続される複数のコンタクトを備えていることを特徴とし、前記端部コネクタは、前記板の１つに沿った終端タイルの端部に着脱式に接続されるように構成されていて、前記コンタクトが前記接続される終端タイルの前記パッドに直接接続し、前記端部コネクタの前記導線を前記接続される板上の前記ＬＥＤ光源に電気的に接続するような複数の端部コネクタと、
を備えたＬＥＤ照明用組立品。
【請求項２７】
前記接続された板上の前記終端タイルの前記パッドは、同じ接続される板に取り付けられた前記タイルのそれぞれの上にある複数の前記ＬＥＤ光源を通して伸びている回路の通路へ電気的に接続されることを特徴とする、請求項２５に記載のＬＥＤ照明用組立品。
【請求項２８】
前記複数の板上にＬＣＤパネルを更に備え、前記ＬＥＤ光源からの光が通過することが出来るように配置されたことを特徴とする、請求項２５に記載のＬＥＤ照明用組立品。
【請求項２９】
主面と、前記主面に隣接する端部と、および前記主面上の複数の電気的配線とを含んだ基板と、
前記基板の前記主面上にあって、前記基板の前記端部に隣接して配置された複数の電気的コンタクト・パッドであって、前記複数の電気的コンタクト・パッドのそれぞれが前記複数の電気的配線のそれぞれ１つに接続されている複数の電気的コンタクト・パッドと、
前記基板の前記主面上の複数の固体発光デバイスであって、前記複数の固体発光デバイスは、前記複数の電気的配線の少なくとも１つを通して前記複数のコンタクト・パッドの少なくとも１つと電気的に接続していることを特徴とする複数の固体発光デバイスと、
少なくとも２つの前記電気的コンタクト・パッドと接続する少なくとも２つの電気的コンタクトを含む、前記基板の前記端部上の端部コネクタと、
を備えた固体照明用組立品。
【請求項３０】
前記端部コネクタは、前記端部コネクタから離れるように伸びている複数の導線を備えることを特徴とし、前記端部コネクタは前記基板の前記端部に着脱式に接続されるように構成され、前記電気的コンタクトは前記コンタクト・パッドに直接接続され、前記端部コネクタの前記導線を前記固体光源に電気的に接続することを特徴とする、請求項２９に記載の固体照明用組立品。
【請求項３１】
前記端部コネクタは、そこに区画された複数の凹んだ溝を有する本体を備え、前記凹んだ溝のそれぞれは、前記端部コネクタの導線の１本の１部分を前記基板から離れるようにガイドするように構成されていることを特徴とする、請求項３０に記載の固体照明用組立品。
【請求項３２】
前記凹んだ溝のそれぞれは、前記端部コネクタの導線の１本の１部分を着脱式に接続し、前記導線の前記接続される部分を前記基板の主面の平面から離れるように、０ではない角度でガイドするように構成されていることを特徴とする、請求項３１に記載の固体照明用組立品。
【請求項３３】
前記凹んだ溝のそれぞれは、前記導線の前記接続される部分を前記タイルの主面の前記平面から離れて約９０°の角度でガイドするように構成されていることを特徴とする、請求項３２に記載の固体照明用組立品。
【請求項３４】
前記固体発光デバイスのそれぞれ１つは、封じ剤の中に少なくとも１つのＬＥＤチップを備え、前記基板の前記主面上の前記端部コネクタの高さは、前記基板の前記主面上の前記固体発光デバイスの前記封じ剤の高さ以上ではないことを特徴とする、請求項２９に記載の固体照明用組立品。
【発明の詳細な説明】
【技術分野】
【０００１】
本発明は固体照明に関係し、より具体的には、ＬＥＤ照明用組立品のＬＥＤ光源に電気的接続を実現する装置に関するものである。
【背景技術】
【０００２】
（関連出願との相互参照関係）
本出願は米国特許仮出願第６０／７３８，３０５号、出願日２００５年１１月１８日、の優先権を主張するものであり、その開示内容はここで参照することによってその全体がここに取り込まれているものとする。
【０００３】
固体光源のアレイを含む固体照明用組立品は、多くの照明応用分野で用いられている。例えば、固体照明用組立品は、例えば建築および／または強調用照明における直接照明光源として用いられてきた。固体照明用組立品は、例えば、光パネルを形成する１つ以上背面パネル上に配列された個別の光源の２次元アレイを含んでいる。光源のそれぞれは１つ以上発光ダイオード（ＬＥＤ）を含んでいる。光源に用いられるＬＥＤは、通常はｐ−ｎ接合を形成する半導体層を含む無機ＬＥＤと、有機発光層を含む有機ＬＥＤ（ＯＬＥＤ）の２種類を含む。ＬＥＤは通常は発光領域または発光層内で電子的な担体、すなわち電子と正孔の再結合を通して光を発生する。
【０００４】
固体照明パネルは、可搬型電子デバイスに用いられるＬＣＤ表示板のような、小さな液晶表示板（ＬＣＤ）の表示スクリーンのためのバックライトとしてよく用いられている。更に、ＬＣＤテレビの表示板のようなより大きな表示板のためのバックライトとして、固体照明パネルの使用についての興味が増大してきている。
【０００５】
より小さなＬＣＤスクリーンでは、バックライト組立品は、通常は青色光の１部を黄色光に変換する波長変換蛍光剤を塗布した青色光発光ＬＥＤを含む白色ＬＥＤ光源を用いる。その結果の光は、青色光と黄色光の組み合わせであるが、観測者には白く見える。
【０００６】
大規模なバックライトと照明への応用では、照明パネルによって照明される対象および／または表示スクリーンがより自然に見えるように、高い演色評価数を持つ白色光を発生する光源を提供することがしばしば望まれる。したがって、そのような光源は、通常はそれぞれが赤色、緑色および青色のＬＥＤチップを含むＬＥＤ光源のアレイを含むものである。赤色、緑色および青色のＬＥＤチップが同時に活性化されると、ＬＥＤチップによって発した赤色、緑色および青色の光の相対強度に依存して、結果としての組み合わせ光は白色またはほぼ白色に見える。
【０００７】
【特許文献１】米国特許仮出願第６０／７４９，１３３号明細書、２００５年１２月９日出願、発明の名称「固体裏面照明ユニット組立品と方法（ＳＯＬＩＤ  ＳＴＡＴＥ  ＢＡＣＫＬＩＧＨＴＩＮＧ  ＵＮＩＴ  ＡＳＳＥＭＢＬＹ  ＡＮＤ  ＭＥＴＨＯＤＳ）」
【特許文献２】米国特許出願第１１／４０８，６４８号明細書
【発明の開示】
【発明が解決しようとする課題】
【０００８】
ＬＥＤ光源のより高密度および／またはより大規模アレイを持つ固体光パネルを提供するための傾向が引き続いているとともに、照明パネルとその組立品のコスト、小型化、および／または信頼性の改善が可能になるような方法でＬＥＤ光源のアレイへの電気的接続性を実現することへの要求が引き続き存在している。
【課題を解決するための手段】
【０００９】
本発明のいくつかの実施形態では、ＬＥＤ発光ユニットは、タイルと、複数の個別のＬＥＤ光源と、および端部コネクタとを含んでいる。前記ＬＥＤ光源は、前記タイルの主面上にあり、全面に渡って分散していて、前記タイルの端部領域に沿って並んでいる電気的パッドに電気的に接続される。前記端部コネクタは、前記端部コネクタから離れるように伸びている複数の導線に接続している複数のコンタクトを含んでいて、前記コンタクトが前記パッドに直接接続し、前記端部コネクタの前記導線を前記ＬＥＤ光源に電気的に接続するように、前記タイルの端部に着脱式に接続するように構成されている。
【００１０】
いくつかの更なる実施形態では、端部コネクタは、中に区画された複数の凹んだ溝を持つ本体を含んでもよい。凹んだ溝のそれぞれは、端部コネクタの導線の１本の１部分をゼロでない角度（例えば約９０°の角度）でタイルの主面から離れるようにガイドするように構成されている。
【００１１】
ＬＥＤ光源は、封じ剤の中に少なくとも１つのＬＥＤチップを含んでもよい。ＬＥＤ発光ユニットは、ＬＥＤ光源に位置合わせされた開口を持つ反射器パネルを含んでもよい。端部コネクタは、タイルの主面の上のその高さが封じ剤の高さ以上ではなく、および／またはタイル上の反射器パネルの外側表面の高さ以上ではないというような、低い外形を持つ。
【００１２】
端部コネクタは、タイルの主面内に在る開口に着脱式に固定するように構成された固定機構を含んでもよい。固定機構は、端部コネクタ内の空洞で区画されたこぶを含んでもよいし、および／または空洞内へ伸びていて、コネクタのコンタクトがタイル上パッドに直接接続されるときにタイル内の開口に係合する湾曲部材を含んでもよい。
【００１３】
本発明の他の実施形態はＬＥＤ照明用組立品に関するものであり、ＬＥＤ照明用組立品は複数の板に搭載された複数の前記個別のタイルと、前記板の異なる１つに沿った端部のタイルの１つにそれぞれ接続された、複数の端部コネクタを含んでいる。
【００１４】
本発明のいくつかの実施形態は、主面と、主面に近接する端部と, および主面上の複数の電気的配線とを含む基板を含む固体照明用組立品を提供する。複数の電気的コンタクト・パッドは基板の主面上にあり、基板の端部の近くに配置されている。複数の電気的コンタクト・パッドのそれぞれは、複数の電気的配線のそれぞれの１つに接続される。複数の固体発光デバイスは、基板の主面上にあり、複数のコンタクト・パッドの少なくとも１つと複数の電気的配線の少なくとも１つを通して電気的に繋がっている。組立品は、基板の端部上にあり、電気的コンタクト・パッドの少なくとも２つと接続する少なくとも２つの電気的コンタクトを含む端部コネクタを更に含む。
【発明を実施するための最良の形態】
【００１５】
本発明の実施形態は、本発明の実施形態を示している付属の図面を参照して以下により完全に記述する。本発明は、しかしながら、他の多くの形態でも実施できて、ここに言及する実施形態だけに限定されるものと思うべきではない。むしろ、この開示内容が、完璧であり完全であって、本発明の技術範囲を当業者に完全に伝達されるようにする目的でこれらの実施形態が提供されている。全体を通して、同様の参照番号は同様の要素を指している。
【００１６】
「第１の」、「第２の」、などの用語はここでは色々な要素を記述するために用いられているが、これらの要素はこれらの用語によって制限されるべきではない、と理解されたい。これらの用語は、１つの要素を他と区別するために用いられているに過ぎない。たとえば、本発明の技術範囲を逸脱すること無しに、第１の要素は第２の要素と呼ぶことも出来るであろうし、同様に、第２の要素を第１の要素と呼ぶことも出来るであろう。ここで用いられるように、用語「および／または」は関連して列挙された事項の１つ以上の任意の、および全ての組み合わせを含むものであり、「／」という略記号を用いることもある。
【００１７】
ここに用いられる用語は、特定の実施形態を記述する目的のためだけであり、本発明を限定しようとするものではない。ここで用いられるように、単数形「ひとつの」「前記」は、文脈から明らかにそうでないと示されている場合を除いては、複数形も含んでいるものとしている。この明細書にて用いられるときに、「を備えている」「を含んで構成されている」「含む」および／または「含んでいる」という用語は、記述された特徴物、整数、工程、操作、要素、および／または部品の存在を規定しているが、１つ以上の他の特徴物、整数、工程、操作、要素、部品および／またはそれらの集合が存在することを、或いは付加されることを排除するものではないことは、更に理解するべきである。
【００１８】
そうでないと規定された場合を除いては、（技術用語及び科学用語を含んで）ここで用いる全ての用語は、本発明が属する技術分野の通常の技術を持つ者が共通して理解するようなものと同じ意味を持つものである。さらに、ここで用いられる用語は、本明細書および関連技術文献における文脈と矛盾のない意味を持つものと解釈されるべきであり、ここで明確に規定されていない場合は、理想化された、或いは過度に公式的な意味で解釈されるべきではない、ということはさらに理解されよう。
【００１９】
層、領域あるいは基板のような或る要素が他の要素「の上にある」あるいは「の上に拡がっている」といわれる場合は、他の要素の直接上にある、或は直接上に拡がっている場合もあれば、介在する要素が存在していてもよい、ということは理解されよう。これに対して、或る要素が他の要素「の直接上にある」あるいは「の直接上に拡がっている」といわれる場合には、介在する要素は存在しない。 或る要素が他の要素に「接続している」或は「結合している」といわれる場合は、他の要素に直接的に接続していたり、結合していたりしてもよいし、介在する要素が存在していてもよい、ということも理解されよう。これに対して、或る要素が他の要素に「直接接続している」あるいは「直接結合している」といわれる場合には、介在する要素は存在しない。
【００２０】
「下に」、あるいは「上に」、あるいは「上部に」あるいは「より下に」あるいは「水平の」あるいは「垂直の」などという相対関係を表す用語は、図に示されたような１つの要素、層，あるいは領域の他の要素、層あるいは領域に対する関係を記述するためにここでは用いられる。これらの用語は、図に示された方位に加えて、デバイスの異なる方位に広げられることも意図されているものと理解されよう。
【００２１】
さて図１を参照すると、固体照明タイル１０は、タイル１０の主面に亘って分散している複数の個別のＬＥＤ光源１２を含んでいる。タイル１０は、例えば、１つ以上回路素子が搭載される印刷回路基板（ＰＣＢ）を含んでもよい。特に、タイル１０は、（不図示の）パターン化された金属配線が形成される、ポリマー被覆を持つ金属コアを含んでいる金属コアＰＣＢ（ＭＣＰＣＢ）を含んでもよい。ＭＣＰＣＢ材料およびそれと類似の材料は、例えば、ベルグクイスト（Ｂｅｒｇｑｕｉｓｔ）社で市販されている。ＰＣＢは、（４オンス銅またはそれ以上の）重いクラッドおよび／または熱の貫通孔を持つ通常のＦＲ―４ＰＣＢ材料を更に含んでもよい。ＭＣＰＣＢ材料は、従来のＰＣＢ材料に比べて熱的特性が改良される。しかしながら、ＭＣＰＣＢ材料は、金属コアを含んでいない従来のＰＣＢ材料に比べて重い。
【００２２】
図１に示した実施形態では、ＬＥＤ光源１２は、それぞれ集団あたり３つのＬＥＤチップを持つ多チップ集団を含んでいる。タイル１０上では、第１の経路２０に４つの光源１２が直列接続されていて、第２の経路２１には他の４つの光源１２が直列接続されている。タイル１０は、第１および第２の経路２０、２１のそれぞれの端部に位置している複数のコンタクト・パッド１９を含んでいる。第１の経路２０の光源１２は、例えば印刷回路を経由して、タイル１０の第１の端部領域に沿って配列している３つの陽極パッド２２のセットに接続され、タイル１０の反対側の第２の端部領域に沿って配列されている３つの陰極コンタクト２４のセットに接続されている。第２の経路２１の光源１２は、タイル１０の第２の端部領域に沿って配列されている３つの陽極パッド２６のセットに接続され、タイル１０の第１の端部領域に沿って配列されている３つの陰極パッド２８のセットに接続されている。
【００２３】
光源１２内のＬＥＤチップは、例えば、有機および／または無機のＬＥＤを含んでもよい。光源１２の典型例を図２に示す。図２の光源１２は、それぞれ複数のＬＥＤチップ１６Ａ―１６Ｃが搭載される搬送基板１３を含んでもよい。他の実施形態では、１つ以上光源１２は、タイル１０の表面上の電気的配線上に直接搭載されたＬＥＤチップ１６Ａ―１６Ｃを備えて，多チップモジュールまたは基板上チップの組立品を形成してもよい。適当なタイルは、本出願と同じ譲受人に譲渡された特許文献１に開示されている。
【００２４】
ＬＥＤチップ１６Ａ―１６Ｃは、少なくとも赤色ＬＥＤチップ１６Ａ、緑色ＬＥＤチップ１６Ｂ、および青色ＬＥＤチップ１６Ｃを含んでもよい。青色および／または緑色ＬＥＤは、本発明の譲受人であるクリー社（Ｃｒｅｅ，Ｉｎｃ．）から入手可能であるＩｎＧａＮベースの青色および／または緑色ＬＥＤチップであってもよい。赤色ＬＥＤは、例えば、エピスター（Ｅｐｉｓｔａｒ）、オスラム（Ｏｓｒａｍ）などから入手可能なＡｌＩｎＧａＰベースのＬＥＤチップであってもよい。
【００２５】
いくつかの実施形態では、ＬＥＤチップ１６は、端部の一辺が約９００μｍ以上の四角形または長方形の周囲を持っている（すなわち、いわゆる「パワーチップ」である。）。しかしながら他の実施形態では、ＬＥＤチップ１６は端部の一辺が５００μｍ以下である（すなわち、いわゆる「小チップ」である。）。特に、小ＬＥＤ チップは、パワーチップに比べて良好な電気的変換効率を持って動作する。例えば、端部の最大寸法が５００μｍ以下で、２６０μｍ程度に小さな緑色ＬＥＤチップは、通常は、９００μｍのチップに比べてより高い電気的変換効率を持ち、通常は、１ワットの消費電力あたりの光束５５ルーメンを、最大で、１ワットの消費電力あたりの光束９０ルーメンを発生することが知られている。
【００２６】
図２に更に示すように、ＬＥＤチップ１６Ａ―１６Ｃは封じ剤１４で被覆されてもよい。これは透明であり、および／または所望の発光パターン、色、および／または強度を達成するために、光散乱粒子、蛍光剤、および／または他の要素を含んでもよい。図２には示してはいないが、光源１２は、ＬＥＤチップ１６Ａ―１６Ｃを取り巻く反射器カップ、ＬＥＤチップ１６Ａ―１６Ｃ上に搭載されるレンズ、照明デバイスから熱を取り去るための１つ以上ヒート・シンク、静電気の放電を防止するチップ、およびその他の要素を更に含んでもよい。
【００２７】
光源１２のＬＥＤチップ１６Ａ―１６Ｃは、図３に示す概略的回路図に示すようにタイル１０上で電気的に相互配線されてもよい。図示のように、ＬＥＤチップ１６Ａ―１６Ｃは第１の経路２０内の赤色ＬＥＤチップ１６Ａが直列に接続されて糸２０Ａを形成するように相互接続される。同様に第１の経路２０内の緑色ＬＥＤチップ１６Ｂが直列に配列されて糸２０Ｂを形成する。青色ＬＥＤチップ１６Ｃが直列に配列されて糸２０Ｃを形成する。糸２０Ａ―２０Ｃのそれぞれは、一端ではタイル１０の第１の端部領域に沿っている陽極パッド２２Ａ―２２Ｃの対応する１つに接続され、他端ではタイル１０の第２の端部領域に沿っている陰極パッド２４Ａ―２４Ｃの対応する１つに接続される。
【００２８】
１つ以上の糸２０Ａ―２０Ｃは、第１または第２の経路２０、２１に示された対応するＬＥＤチップの全て、または全て以下を含んでもよい。例えば、糸２ＯＡは第１の経路２０にある光源１２の全てからの赤色ＬＥＤチップ１６Ａの全てを含んでもよい。代替法としては、糸２０Ａは第１の経路２０にある対応するＬＥＤチップの部分集合だけを含んでもよい。したがって、第１の経路２０は、タイル１０を亘って一般には平行に伸びている３本の直列な糸２０Ａ―２０Ｃを含んでもよい。
【００２９】
タイル１０上の第２経路２１も平行に配列した３本の糸２１Ａ、２１Ｂ、２１Ｃを含んでいる。糸２１Ａ―２１Ｃはタイル１０の第２の終端領域に沿った陽極コンタクト２６Ａ―２６Ｃに接続され、タイル１０の第１の終端領域に沿った陰極コンタクト２８Ａ―２８Ｃに接続される。
【００３０】
図１―３に示した実施形態は、光源１２当たり３個のＬＥＤチップ１６Ａ−Ｃを含み、それらは電気的に接続されて経路２０、２１当たり少なくとも３本のＬＥＤの糸を形成しているが、３個より多い、および／または少ないＬＥＤチップ１６Ａ−Ｃが各光源１２に含まれてもよく、３本より多い、および／または少ないＬＥＤの糸が各経路２０、２１当たりに備えられてもよい、ということは理解されよう。例えば、光源１２はそれぞれ、３個のＬＥＤチップ１６Ａ―Ｂおよびもうひとつの緑色ＬＥＤチップが接続され、経路２０、２１当たり４本の糸を形成してもよい。同様に、いくつかの実施形態では、各光源１２内の２個の緑色ＬＥＤチップが相互に直列接続されて経路２０、２２当たり緑色ＬＥＤチップの単一の糸を形成してもよい。代替としては、タイル１０は複数の経路２０、２１ではなくて単一の経路２０だけを含んでもよく、および／または２つより多い経路２０、２１が単一のタイル１０に備えられてもよい。
【００３１】
本発明のいくつかの実施形態は、外部の電気的デバイスとタイル１０の第１の端部領域に沿った陽極パッド２２および陰極パッド２８との間で、小型で信頼性が高くおよび／または低価格の電気的相互接続を提供する端部コネクタを備えるようになっている。
【００３２】
図４、５、および６は、本発明のいくつかの実施形態によって構成され、タイル１０の端部に接続される端部コネクタ１００の、それぞれ斜視図、上面図および裏面図である。図７、８、９、および１０は本発明のいくつかの実施形態によるコネクタ１００の前面斜視図、裏面斜視図、前面図、および側面図である。
【００３３】
端部コネクタ１００は、端部コネクタ１００から離れるように伸びている複数の導線１０２に電気的に接続した複数のコンタクト１１０（図９）を含んでいる。端部コネクタ１００はタイル１０の端部に着脱式に接続するようになっていて、コンタクト１１０はタイル１０上の陽極パッド２２および陰極パッド２８の別々の１つに直接接続する。
【００３４】
従って、端部コネクタ１００は、１つのグループの導線１０２を陽極パッド２２に接続して、別のグループの導線１０２をタイル１０の第１の端部領域に沿った陰極パッド２８に接続してもよい。図３を更によく参照すると、端部コネクタ１００は、導線１０２の中の第１の対を陽極パッド２２Ａと陰極パッド２８Ａに接続して赤色ＬＥＤの糸２０Ａおよび２１Ａを通る回路の経路を形成し、導線１０２の中の第２の対を陽極パッド２２Ｂおよび陰極パッド２８Ｂに接続して緑色ＬＥＤの糸２ＯＢおよび２１Ｂを通る回路の経路を形成し、導線１０２の中の第３の対を陽極パッド２２Ｃおよび陰極パッド２８Ｃに接続して青色ＬＥＤの糸２ＯＣおよび２１Ｃを通る回路の経路を形成することが出来る。従って、導線の色々な対に、それによって、陽極および陰極パッド２２および２８の関連する対に、十分な順方向バイアス電圧を印加すると、ＬＥＤの糸２０Ａ−Ｃの１つ以上を通して電流が流れ、関連するＬＥＤチップを発光させることになる。
【００３５】
端部コネクタ１００から伸びている導線１０２は、図４および７に示すように、その長さの大部分において相互に分離していて、相対的に独立に折れ曲げ出来る。代替としては、端部コネクタ１００は、コンタクト１１０をリボン・ケーブルおよび／または可撓性薄膜のような、別のタイプの導電性ケーブル内の導線に接続することも出来る。
【００３６】
図５を参照して、光源１２は、タイル１０上にジグザグ格子状に配列されてもよい。その結果、光源１２の中で光源１２の１つが端部コネクタ１００に最も近くなる。コネクタ１００と最近接の光源１２´との間の距離を増加させるために、端部コネクタ１００は、最近接光源１２´の近傍に刻み目つき角（かど）１０４を持つ。例えば、図５に示したように、端部コネクタ１００は、端部コネクタ１００の側面１０６と前面１０８の間で約４５°の角度で広がる端部表面を持ってもよい。
【００３７】
端部コネクタ１００の角（かど）１０４に刻み目を設けることにより、光源１２´からの発光に対する端部コネクタ１００による干渉を低減または回避することが出来る。このような光の干渉を低減または回避することは、望ましくない影を避けるために重要である。回避しなければ、光源１２´から発光した十分な量の光が端部コネクタ１００にぶつかることになった場合に、この影が生ずるであろう。更に、光源１２´が複数の、異なる色のＬＥＤチップを含む場合は、端部コネクタ１００は他の色のＬＥＤ（複数）よりも１つの色のＬＥＤにより近くなり、もし光源１２´からの十分な距離を確保するためにコネクタ１００の角（かど）１０４に刻み目がついていなければ、この干渉が光源１２´からのさまざまな色の間の不均一な影を作ることになる（すなわち、色フリンジ効果）。
【００３８】
光源１２の１つ以上から発した光への端部コネクタ１００による干渉を低減し、或は回避するために、端部コネクタ１００は、光に対する高い拡散反射性を持つ材料（例えば、明るい白色材料）から形成されているか、および／またはそのような材料で少なくとも部分的に被覆されている。
【００３９】
例に挙げた端部コネクタ１００は単一の刻み目付の角（かど）１０４を持っているように示されているが、タイル１０上の１つ以上光源からの距離を増加させるために、コネクタ１００の他の角および／または他の部分も刻み目を付けたり、および／またはその他の掘り込みを付けてもよい、ということは理解すべきである。
【００４０】
端部コネクタ１００の本体は、それぞれがタイル１０から離れていく導線１０２の１本の１部をガイドするように構成された、複数の凹んだ溝１２０を含む。図８を参照すると、第１の溝部分１２０ａは、タイル１０の主面の平面に平行な面内に導線を保持するように伸びている。第２の溝部分１２０ｂは導線１０２の１部に締まり嵌めをその間に用いるなどにより、着脱式に接続し、導線の接続される部分をタイル１０の主面の平面から離れて、０ではない角度、例えば約９０°の角度でガイドするように構成されている。導線１０２がタイル１０の主面の平面から離れて０ではない角度（例えば約９０°の角度）でガイドされるので、導線１０２は、他のタイル、部品および／またはパッケージのすぐ傍であるタイル１０の設置に影響を及ぼすことはない。
【００４１】
図６を参照すると、タイル１０の上の端部コネクタ１００の高さは、光源１２の封じ剤１４の高さと同じか、より低い。従って、端部コネクタ１００は、十分に薄く、コネクタ１００に接続されたタイル１０の組立品の最大の高さは、端部コネクタ１００の高さではなく、タイル１０の最も背の高い部品、特に封じ剤１４の高さによって設定される。従って、端部コネクタ１００は照明用組立品内のタイル１０のアレイの厚さに影響を与えない程度の十分に薄い形状を持つ。
【００４２】
本発明のいくつかの実施形態は、端部コネクタ１００をタイル１０に着脱式に接続するために用いられる色々な固定機構に関するものである。例えば、図１０を参照して、端部コネクタ１００の本体は、内面を持つ空洞１３０を含んでいて、空洞１３０は空洞１３０へ伸びているこぶ１３２を有している。こぶ１３２は、端部コネクタ１００のコンタクト１１０が陽極パッド２２および陰極パッド２８に直接コンタクトするときに、タイル１０の主面内に区画された開口部１３４（図１）と係合するように空洞１３０内に位置している。従って、端部コネクタ１００がタイル１０の第１の端部の上をすべり、コンタクト１１０が陽極および陰極パッド２２および２８の決められた１つに位置合わせするときに、こぶ１３２は、タイル１０内の開口部１３４と少なくとも部分的に係合して端部コネクタ１００をタイル１０に固定する。
【００４３】
図９を参照すると、こぶ１３２は、導線１０２と関連コンタクト１１０とを２つのグループに、例えば２つの等しいグループに分けるように、端部コネクタ１００の中心部分に沿って位置している。例えば、こぶ１３２は、陽極パッド２２に接続する導線１０２と関連コンタクト１１０との第１のグループと、陰極パッド２８に接続する導線１０２と関連コンタクト１１０との第２のグループとの間に位置している。こぶ１３２を導線１０２と関連コンタクト１１０の第１と第２のグループの間に配置することは、陽極パッド２２の第１のグループと陰極パッド２８の第２のグループとに印加される反対極性の電圧間に対してより大きな間隔と、従って絶縁を実現するとこが出来る。陽極パッド２２および陰極パッド２８間の間隔をこのように増大させることは、陽極パッド２２および陰極パッド２８間の（例えば、短絡または部分的な短絡のような）意図しない電流経路の形成を防ぐために役立つ。このような電流経路は、防がなければ、湿度、イオン性塩分への暴露、水分、溶剤の蓄積、パッド２２および２８間の表面上への微生物の蓄積などによって生じる可能性がある。
【００４４】
端部コネクタ１００をタイル１０に着脱式に接続するために用いられる固定機構の他の実施形態のいくつかは、図１１、１２、１３、１４、および１５に示されているが、これらの図は端部コネクタ２００の他の実施形態の裏面斜視図、端部コネクタ２００の前面図、図１２の端部コネクタ２００の断面Ａ−Ａに沿った断面図、図１２の端部コネクタ２００の断面Ｂ−Ｂに沿った断面図、および図１２の端部コネクタ２００の断面Ｃ−Ｃに沿った断面図である。
【００４５】
図１１―１５を参照して、端部コネクタ２００は、端部コネクタ２００が端部コネクタ２００から離れるように伸びる導線１０２に電気的に接続される複数のコンタクト２１０（図１２、１３、１５）を含む点で図４―１０の端部コネクタ１００と同様である。コンタクト２１０は、端部コネクタ２００がタイル１０に接続されるときに、タイル１０上の陽極パッド２２および陰極パッド２８の別々の１つに直接接続するように配置されている。図１５を参照すると、端部コネクタ２００の本体は複数の凹んだ溝２２０を含んでいる。凹んだ溝２２０のそれぞれは導線１０２の１本の１部分をタイル１０から離れるようにガイドし、導線の接続部分をタイル１０の主面の平面から０でない角度で、例えば約９０°の角度でガイドするように構成されている。
【００４６】
端部コネクタ２００は、第１の長く伸びた本体部材２３４および第２の長く伸びた本体部材２３６を含むことが出来る。第１の長く伸びた本体部材２３４は、コネクタの先頭方向へ第２の長く伸びた本体部材２３６よりも更に伸びている。第１の長く伸びた本体部材２３４および第２の長く伸びた本体部材２３６は、図１に示すようにタイル１０の左端に沿って、コンタクト１９の相対する側面に近接した、タイル１０の中の異なる長さの端部刻み目と位置合わせして、滑って入り込むように構成されている。これによって第１の長く伸びた本体部材２３４および第２の長く伸びた本体部材２３６は、端部コネクタ２００をコンタクト１９と位置合わせする機能を発揮することが出来、更に、端部コネクタ２００の上面がタイル１０の上面と同じ方向を向いて端部コネクタ２００の接続を可能にし、その底面がタイル１０の上面と同じ方向を向いた時には端部コネクタ２００の接続が出来ないようにする機能を発揮することが出来る。
【００４７】
図４―１０の端部コネクタ１００とは異なり、端部コネクタ２００は、端部コネクタ２００本体の少なくとも１部分を通って、端部コネクタ２００本体内に区画された空洞２４０内へ伸びる湾曲てこ２３０を含んだ固定機構を有している。湾曲てこ２３０の断面は図１４に示される。図１４を参照すると、湾曲てこ２３０は空洞２４０内の或る位置に配置された拡大された終端２３２を含み、その位置は、端部コネクタ１００のコンタクト１１０が陽極パッド２２および陰極パッド２８に直接接続するときに、拡大された終端２３２がタイル１０内の開口部１３４（図１）に係合するような位置である。従って、端部コネクタ１００がタイル１０の第１の端部上をすべり、コンタクト１１０が陽極パッド２２および陰極パッド２８の決められた１つと位置が合うと、拡大された終端２３２は、端部コネクタ１００をタイル１０上に固定するために開口部１３４と少なくとも部分的に係合する。
【００４８】
図１１と１４を参照すると、湾曲てこ２３２の１部分は、端部コネクタ２００の裏部分から伸びていて、利用者が湾曲てこ２３０の裏側に伸びている部分を作動させて、拡大された終端２３２をタイル１０の開口部１３４からはずす（例えば湾曲てこ２３０の裏側に伸びている部分を持ち上げてタイル１０からの端部コネクタ２００の取り外しを可能にする）ことが出来るように構成されている。
【００４９】
図１１および１５を参照すると、湾曲てこ２３２は、端部コネクタ２００本体の中央部分を通って伸びていて、導線１０２および関連コンタクト１１０を２つのグループ、例えば２つの等しいグループに分離している。例えば、湾曲てこ２３２は、陽極パッド２２へ接続する導線１０２および関連するコンタクト１１０の第１のグループと、陰極パッド２８に接続する導線１０２および関連するコンタクト１１０の第２のグループとの間に配置されている。従って、陽極パッド２２の第１のグループと陰極パッド２８の第２のグループとの間の反対極性の電導経路間でより大きな間隔と、それによる大きな絶縁が得られる。これは陽極および陰極の電導経路間で（例えば、短絡または部分的短絡のような）意図しない電流経路の形成を防ぐ助けとなる。この電流経路は、防がなければ、湿度、イオン性塩分への暴露、水分、溶剤の蓄積、コンタクト１１０間の表面上への微生物の侵入などによって生じる可能性がある。
【００５０】
多くのタイル１０を集合して図１６に示すようなより大きな照明板組立品３０を形成してもよい。そこに示したように、板組立品３０は、例えばループ配線器で終端と終端を接続した、２つ以上のタイル１０、１０’、１０”を含んでいる。従って、図３および１６を参照すると、左端のタイル１０の第１の経路２０の陰極パッド２４は、中央のタイル１０’の第１の経路２０の陽極パッド２２に電気的に接続され、中央のタイル１０’の第１の経路２０の陰極パッド２４は、右端のタイル１０”の第１の経路２０の陽極パッド２２に電気的に接続さる。同様に、左端のタイル１０の第２の経路２１の陽極パッド２６は、中央のタイル１０’の第２の経路２１の陰極パッド２８に電気的に接続され、中央のタイル１０’の第２の経路２１の陽極パッド２６は、右端のタイル１０”の第２の経路２１の陰極パッド２８に電気的に接続される。
【００５１】
本発明のいくつかの実施形態によれば、右端のタイル１０の陽極パッド２２および陰極パッド２８は、端部コネクタ１００、端部コネクタ２００および／または他の端部コネクタに接続してもよい。
【００５２】
更に、右端のタイル１０”の第１の経路２０の陰極パッド２４は、ループ・バック・コネクタ３５によって右端のタイル１０”の第２の経路２１の陽極パッド２６に電気的に接続されてもよい。例えば、ループ・バック・コネクタ３５は、右端のタイル１０”の第１の経路２０の青色ＬＥＤチップ１６Ａの糸２ＯＡの陰極２４Ａを右端のタイル１０”の第２の経路２１の青色ＬＥＤチップの糸２１Ａの陽極２６Ａに電気的に接続してもよい。このように、第１の経路２０の糸２０Ａは、ループ・バック・コネクタ３５の導体３５Ａによって第２の経路２１の糸２１Ａに直列に接続されて、青色ＬＥＤチップ１６の単一の糸２３Ａを形成する。タイル１０、１０’、１０”の経路２０、２１の他の糸も同様に接続される。
【００５３】
ループ・バック・コネクタ３５は、例えば端部コネクタ１００または端部コネクタ２００に対してすでに記述し、図示したのと同じように構成される端部コネクタを含んでもよい。代替としては、ループ・バック・コネクタ３５は、可撓性配線基板、大配線接続（ＬＷＩ）、または他の任意のコネクタを含んでもよい。更に、ループ・バック・コネクタ３５は、タイル１０上に、および／またはタイル１０内に形成された印刷配線を含んでもよい。
【００５４】
図１６に示した板組立品３０はタイル１０の１次元アレイであるが、他の構成も可能である。例えば、タイル１０は、タイル１０が全て同じ面内に位置する２次元アレイ状に接続することも出来、あるいはタイル１０の全てが同じ面内に配列されることはない３次元構成に接続することも出来る。さらには、タイル１０は長方形または四角形である必要は無く、例えば、６角形、３角形などでもよい。
【００５５】
図１７を参照して、いくつかの実施形態では、複数の板組立品３０は、組み合わされて、例えば、ＬＣＤ表示板のバックライト照明ユニット（ＢＬＵ）として用いることの出来る照明パネル４０を形成してもよい。図１７に示すように、照明パネル４０は、4つの板組立品３０を含み、そのそれぞれは、6個のタイル１０を含む。各板組立品の左端のタイル１０は、（たとえば端部コネクタ１００または端部コネクタ２００のような）端部コネクタを含み、各板組立品３０の右端のタイル１０”はループ・バック・コネクタ３５を含む。従って、各板組立品３０は、ＬＥＤチップの3本の糸２３（すなわち1本は赤色、1本は緑色、および1本は青色の糸）を含む。
【００５６】
いくつかの実施形態では、板組立品３０は、４本のＬＥＤの糸２３（１本は赤色、２本は緑色、そして１本は青色）を含む。このように、９本の板組立品を含む照明パネル４０は、ＬＥＤチップの３６本の別々の糸を有する。更に、それぞれ８個の固体照明素子１２を有するタイル１０を６個含む板組立品３０では、ＬＥＤの糸２３は直列に接続した４８個のＬＥＤチップを含む。
【００５７】
図１８は、本発明のいくつかの実施形態による、２次元アレイ状に配列した光源１４を有する複数のタイル１０を含む照明用組立品４００の分解斜視図である。タイル１０は、対応する板２０上に搭載され、板は支持のため底面カバー４４上に搭載され、そのカバーは金属板を含んでいる。いくつかの実施形態では、タイル１０は、底面カバー４４上に直接搭載されてもよい、ということは理解されよう。複数の開口４２を含む反射器パネル４０は、開口４２がタイル１０の上のそれぞれの光源１２と位置が合うようにタイル１０の上に搭載される。
【００５８】
グラファイト熱スペーサ４１のような任意選択の熱スペーサを底面カバー４４と板２０との間に備えてもよい。熱スペーサ４１は、例えば、オハイオ州クリーブランドのグラフテック・インターナショナル（Ｇｒａｐｈｔｅｃ Ｉｎｔｅｒｎａｔｉｏｎａｌ）社から入手可能なスプレッダシールド（Ｓｐｒｅａｄｅｒｓｈｉｅｌｄ）のような、異方性カーボン・スプレッダを含んでいる。熱スペーサ４１は、系の中の残留熱不均一性を分散させるために役立つ。熱スペーサ４１は、底面カバー４４と板２０との間の圧縮力によってその場に保持される。代替として、あるいは更に、熱スペーサ４１は、最後の組み立てまで、例えば、両面圧力敏感接着テープを用いてその場に保持される底面カバー４４内に前もって設置されてもよい。
【００５９】
反射器パネル４０は、タイル１２の２次元アレイの長さと幅と同じ長さと幅を持っていてもよく、あるいは、反射器パネル４０は、タイル１０の個別の１つと同じ長さと幅を持つ、より小さな反射器パネルのアレイから形成されてもよい。反射器パネル４０は、（例えば明るい白色ポリエチレンーテレフタレート（ＰＥＴ）プラスチックのような）明るい白色プラスチック泡材料のような、高い光反射率を持つ材料から出来ているか、そのような材料で被覆されている。反射器パネル４０は、前記反射器パネル４０とその上にあるＬＣＤ表示板パネルのような他のパネルとの間の光の再利用を実現および／または改良するために用いられてもよい。入射光の再利用に加えて、反射器パネル４０は、光がランダムな方向に反射するように光を分散させるのに役立ち、これはＬＣＤ表示板１００やまたはその上の他のパネルを通って透過する光の一様性を改善できる。
【００６０】
図１９Ａは、図１８に示した照明用組立品４００の断面図である。図１９Ａを参照すると、タイル１０は、接着剤によってそれぞれの板２０に貼り付けられる。組立品４００の全体は、締め具５０によって一緒に固定される。締め具５０は、反射器パネル４０と、タイル１０と、板２０、と任意選択の熱スペーサ４１とを通って底面カバー４４へ伸びている締め具本体５２を少なくとも含んでいる。締め具５０は、頭部５４を含み、底面カバー４４上の反射器パネル４０と係合しこれを保持するように構成されている。
【００６１】
図１９Ａに示すように、タイル１０の上の端部コネクタ１００の高さは、タイル１０の上の反射器パネル４０の外側の主面の高さと同じか、それ以下である。従って、端部コネクタ１００は十分に薄く、それが照明用組立品４００の厚さを増加させることはない。
【００６２】
図１９Ｂは、本発明の他のいくつかの実施形態による、図１８に示した照明用組立品４００の断面である。端部コネクタ１００の厚さは、図１９Ａに示したコネクタ１００よりも厚い。特に、図１９Ｂに示した端部コネクタ１００は反射器パネル４０の上面の上に飛び出た上面を持つ。
【００６３】
上記したように、光源１４のそれぞれは、互いに隔たっている複数のＬＥＤチップを含むことが出来、ＬＥＤチップはそれぞれ別々の主波長（色）を持つ光を発する。端部コネクタ１００は、光源１４の中のＬＥＤチップの中の他のものよりもＬＥＤチップの中の１つにより近接していることがあるので、端部コネクタ１００は、より遠くに離れたＬＥＤチップからの他の色の光よりも、最近接のＬＥＤチップからの１つの色の光をより多く非対称に塞ぐことになる。端部コネクタ１００によるこの多分非対称となるであろう遮蔽効果は近接場色シャドウイングとよばれる。
【００６４】
端部コネクタ１００による近接場色シャドウイングの量は、端部コネクタ１００と光源１４内のＬＥＤチップとの間の距離に依存し、光源１４内のＬＥＤチップに対する端部コネクタ１００の上面の高さに依存する。
【００６５】
光源１４内のＬＥＤによって発生し、端部コネクタ１００の上面の丁度、角（かど）を横切る典型的な光線１９００は、図１９Ｂに示されていて、ここでは接線光線と呼ばれる。いくつかの実施形態では、端部コネクタ１００と光源１４との間の最小距離および／または端部コネクタ１００の高さは、接線光線１９００が水平に対して最大角度３０°を持つように定義される。より好適には接線光線１９００が水平に対して最大角度１５°を持つように、更に好適には接線光線１９００が水平に対して最大角度7°となるように定義される。ここでの議論を眺めて理解されるように、接線光線１９００に対して最大角度7°を与える端部コネクタ１００の間隔と高さをもって構成すると、接線光線１９００に対して最大角度３０°を与える構成よりも近接場色シャドウイングは少ない量となる。
【００６６】
従って、より厚い端部コネクタ１００を用いることが出来るためには、端部コネクタ１００および光源１４間の最小距離は増大し、および／または端部コネクタ１００および光源１４間の最小距離をより小さくすることを可能とするためには端部コネクタ１００の厚さは低減する。
【００６７】
図１９Ｃは図１９Ａの端部コネクタ１００および照明用組立品４００の上面図である。図１９Ｃに示すように、反射器パネル４０はタイル１０（図１）上のコンタクト１９を露出させるような切込みを含めることができる。これによって、端部コネクタ１００のコンタクトはタイル１０のコンタクト１９に電気的に接続することが出来る。
【００６８】
図２０を参照すると、本発明のいくつかの実施形態による照明用組立品４００は、液晶表示板（ＬＣＤ）５５０のような表示板のためのバックライトとして用いてもよい。図２０に示すように、ＬＣＤ５５０は、照明用組立品４００によって発生した光５５６がＬＣＤスクリーン５５４を通過するように、また、それによってＬＣＤスクリーン５５４に対してバックライトを提供するように、ＬＣＤスクリーン５５４に対して位置決めされた照明用組立品４００を含んでいる。ＬＣＤスクリーン５５４は、表示板画像を発生するために照明パネル５４０からの光５５６の中の選択された色を選択的に通過／遮断するように構成された、適当に配列されたシャッターとそれに関連するフィルタを含んでいる。
【００６９】
図２１を参照すると、本発明のいくつかの実施形態による照明用組立品４００は、固体照明備品または照明器具５６０用の照明パネルとして用いてもよい。照明器具５６０によって発光した光５６６は或る面積および／または対象を照明する。固体照明器具は、例えば、本発明の譲受人に譲渡された特許文献２に記載されており、その開示内容は参照することによってその全てがここに取り込まれているものとする。
【００７０】
図面と記述において本発明の実施形態が開示されてきた。専門用語が用いられているが、一般的で記述目的のためだけに用いられているのであり、限定を目的とするものではない。本発明の技術範囲は以下の請求項に述べられている。
【図面の簡単な説明】
【００７１】
【図１】本発明のいくつかの実施形態による、固体照明タイルの前面図である。
【図２】本発明のいくつかの実施形態による、複数のＬＥＤチップを含むパッケージされた固体照明デバイスの上面図である。
【図３】本発明のいくつかの実施形態による、固体照明タイル内のＬＥＤチップの電気的配線を示す概略的回路図である。
【図４】本発明のいくつかの実施形態による、図１のタイルに接続された端部コネクタの斜視図である。
【図５】本発明のいくつかの実施形態による、図４の端部コネクタとタイルの上面図である。
【図６】本発明のいくつかの実施形態による、図４の端部コネクタとタイルの裏面図である。
【図７】本発明のいくつかの実施形態による、図４の端部コネクタの前面斜視図である。
【図８】本発明のいくつかの実施形態による、図４の端部コネクタの裏面斜視図である。
【図９】本発明のいくつかの実施形態による、図４の端部コネクタの前面図である。
【図１０】本発明のいくつかの実施形態による、図４の端部コネクタの側面図である。
【図１１】本発明の他のいくつかの実施形態による、端部コネクタの裏面斜視図である。
【図１２】本発明のいくつかの実施形態による、図１１の端部コネクタの前面図である。
【図１３】本発明のいくつかの実施形態による、図１２の端部コネクタの断面Ａ−Ａに沿う断面図である。
【図１４】本発明のいくつかの実施形態による、図１２の端部コネクタの断面Ｂ−Ｂに沿う断面図である。
【図１５】本発明のいくつかの実施形態による、図１２の端部コネクタの断面Ｃ−Ｃに沿う断面図である。
【図１６】本発明のいくつかの実施形態による、端部コネクタと複数のタイルを含む板組立品の概略図である。
【図１７】本発明のいくつかの実施形態による、複数の端部コネクタとタイルを含む照明パネルの前記略図である。
【図１８】本発明のいくつかの実施形態による、２次元アレイ状に配列した複数のタイルを含む照明用組立品の分解斜視図である。
【図１９Ａ】本発明のいくつかの実施形態による、図１８の照明用組立品の断面図である。
【図１９Ｂ】本発明のいくつかの実施形態による、図１８の照明用組立品の断面図である。
【図１９Ｃ】本発明のいくつかの実施形態による、図１８の照明用組立品の１部分の上面図である。
【図２０】本発明のいくつかの実施形態による、１つ以上タイルおよび端部コネクタを含み、ＬＣＤ表示板のバックライトとして構成された照明用組立品の概略図である。
【図２１】本発明のいくつかの実施形態による、１つ以上タイルおよび端部コネクタを含み、固体照明備品すなわち照明器具の照明パネルとして構成された照明用組立品の概略図である。
【図１】
2009516357.tif 000003
【図２】
2009516357.tif 000004
【図３】
2009516357.tif 000005
【図４】
2009516357.tif 000006
【図５】
2009516357.tif 000007
【図６】
2009516357.tif 000008
【図７】
2009516357.tif 000009
【図８】
2009516357.tif 000010
【図９】
2009516357.tif 000011
【図１０】
2009516357.tif 000012
【図１１】
2009516357.tif 000013
【図１２】
2009516357.tif 000014
【図１３】
2009516357.tif 000015
【図１４】
2009516357.tif 000016
【図１５】
2009516357.tif 000017
【図１６】
2009516357.tif 000018
【図１７】
2009516357.tif 000019
【図１８】
2009516357.tif 000020
【図１９Ａ】
2009516357.tif 000021
【図１９Ｂ】
2009516357.tif 000022
【図１９Ｃ】
2009516357.tif 000023
【図２０】
2009516357.tif 000024
【図２１】
2009516357.tif 000025
【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
タイルと、
前記タイルの主表面上にあって分散していて、前記タイルの端部領域に沿った電気的なパッドに電気的に接続している複数の個別のＬＥＤ光源と、
複数のコンタクトを備えた端部コネクタであって、前記端部コネクタから離れていくように伸びている複数の導線に接続していて、前記端部コネクタは前記タイルの端部に着脱式に接続し、前記コンタクトが前記パッドに直接接続して、前記端部コネクタの前記導線を前記ＬＥＤ光源に電気的に接続するように構成されている端部コネクタと、
を備えたＬＥＤ発光ユニット。
【請求項２】
前記端部コネクタは、そこに区画された複数の凹んだ溝を持つ本体を備え、前記凹んだ溝のそれぞれは、前記端部コネクタの導線の１本の１部を前記タイルから離れるようにガイドするように構成されていることを特徴とする、請求項１に記載のＬＥＤ発光ユニット。
【請求項３】
前記凹んだ溝のそれぞれは、前記端部コネクタの導線の１本の１部分に着脱可能式に接続され、前記導線の接続部分を前記タイルの主面の面から０ではない角度を以ってガイドするように構成されることを特徴とする、請求項２に記載のＬＥＤ発光ユニット。
【請求項４】
前記凹んだ溝のそれぞれは、前記導線の接続部分を前記タイルの主表面の面から約９０°の角度を以ってガイドする様に構成されることを特徴とする、請求項３に記載のＬＥＤ発光ユニット。
【請求項５】
前記ＬＥＤ光源のそれぞれ1つは、封じ剤内に少なくとも１つのＬＥＤチップを備えること、および
前記タイルの主面上の前記端部コネクタの高さは、前記タイルの主面上の前記ＬＥＤ光源の前記封じ剤の高さ以上ではないこと、
を特徴とする、請求項１に記載のＬＥＤ発光ユニット。
【請求項６】
高い光反射率を持つ材料を含み、中に開口を区画する反射器パネルを更に備え、
前記反射器パネルは前記タイルの主面に亘って広がり、前記開口は前記複数のＬＥＤ光源と位置合わせされていて、
前記タイルの前記主面上の前記端部コネクタの高さは、前記タイルの主面上の前記反射器 パネルの外側の主面の高さ以上ではない、
ことを特徴とする、請求項１に記載のＬＥＤ発光ユニット。
【請求項７】
前記端部コネクタは、前記端部コネクタが前記タイルに接続されるときに、前記タイルの主面内に在る開口に着脱式でロックするように構成された固定機構を備えることを特徴とする、請求項１に記載のＬＥＤ発光ユニット。
【請求項８】
前記端部コネクタは、空洞内へ拡がっているこぶを区画する内面を有する空洞を持つ本体を備え、前記端部コネクタのコンタクトが前記タイルのパッドに直接接続され、前記端部コネクタの前記導線を前記ＬＥＤ光源に電気的に接続するときに、前記こぶが、前記タイルの主面内の開口部と係合するように、前記こぶは、前記空洞内のある位置に配置されることを特徴とする、請求項７に記載のＬＥＤ発光ユニット。
【請求項９】
前記端部コネクタは、内面を有する空洞を持つ本体を備え、固定機構は空洞内へ拡がっている湾曲てこを備え、前記端部コネクタのコンタクトが前記タイルのパッドに直接接続され、前記端部コネクタの前記導線を前記ＬＥＤ光源に電気的に接続するときに、前記てこの終端部分が前記タイルの主面内の開口部に係合するように配置されていることを特徴とする、請求項７に記載のＬＥＤ発光ユニット。
【請求項１０】
前記端部コネクタは本体を備え、前記固定機構は前記本体の中央部に沿って拡がり、前記端部コネクタのコンタクトが前記タイルのパッドに直接接続するときに、前記タイルの主面内の前記開口部上へ着脱式に固定されることを特徴とする、請求項７に記載のＬＥＤ発光ユニット。
【請求項１１】
前記端部コネクタは、１つの平面に沿って前記導線を保持するように配置された本体を備え、前記固定機構は前記本体の少なくとも1部分をとおって広がり、前記面に沿った前記導線を2つのグループに分離することを特徴とする、請求項７に記載のＬＥＤ発光ユニット。
【請求項１２】
前記固定機構は、前記平面に沿った前記導線を2つの等しいグループに分離するために前記本体の少なくとも1部分を通って広がることを特徴とする、請求項１１に記載のＬＥＤ発光ユニット。
【請求項１３】
前記端部コネクタは、前記第１のグループの導線を前記ＬＥＤ光源の陰極端子ではなくて陽極端子に接続されたタイル上パッドへ位置合わせして接続するように構成されていて、前記第２のグループの導線を前記ＬＥＤ光源の陽極端子ではなくて陰極端子に接続されたタイル上パッドへ位置合わせして接続するように構成されていることを特徴とする、請求項１２に記載のＬＥＤ発光ユニット。
【請求項１４】
前記端部コネクタは、高い散乱光反射率を有する材料を含んで構成されることを特徴とする、請求項１に記載のＬＥＤ発光ユニット。
【請求項１５】
前記端部コネクタは、明るい白色の材料を含んで構成されることを特徴とする、請求項１４に記載のＬＥＤ発光ユニット。
【請求項１６】
前記端部コネクタが前記タイルに接続されるときに、前記端部コネクタは、前記端部コネクタのコンタクトの異なる1つを前記タイル上パッドの異なる1つに位置あわせして直接接続するように構成されることを特徴とする、請求項１に記載のＬＥＤ発光ユニット。
【請求項１７】
前記ＬＥＤ光源のそれぞれ1つは、複数のＬＥＤチップを含み、前記ＬＥＤチップのそれぞれは、前記タイル上パッドの異なる対に電気的に接続され、
前記端部コネクタは、前記複数の導線の異なる対を前記タイル上パッドを経由して前記ＬＥＤチップの異なる1つへ電気的に接続するように構成される、
ことを特徴とする、請求項１６に記載のＬＥＤ発光ユニット。
【請求項１８】
前記ＬＥＤ光源のそれぞれ1つは、前記タイル上パッドの第１の対に接続された赤色ＬＥＤチップと、前記タイル上パッドの第２の対に接続された緑色ＬＥＤチップと、前記タイル上パッドの第３の対に接続された青色ＬＥＤチップとを備え、
前記端部コネクタは前記導線の第１の対を前記タイル上パッドの第１の対を経由して前記赤色ＬＥＤチップへ電気的に接続するように構成され、前記導線の第２の対を前記タイル上パッドの第２の対を経由して前記緑色ＬＥＤチップへ電気的に接続するように構成され、前記導線の第３の対を前記タイル上パッドの第３の対を経由して前記青色ＬＥＤチップへ電気的に接続するように構成される、
ことを特徴とする、請求項１６に記載のＬＥＤ発光ユニット。
【請求項１９】
前記複数のコネクタの導線は、その長さの大部分に亘って相互に分離していて、相対関係において独立に柔軟性を持っていることを特徴とする、請求項１に記載のＬＥＤ発光ユニット。
【請求項２０】
前記複数のコネクタの導線は、リボン状のケーブルを含んで構成されることを特徴とする、請求項１に記載のＬＥＤ発光ユニット。
【請求項２１】
前記端部コネクタは、前記ＬＥＤ光源の最も近くの1つに隣接してノッチ付の角（かど）を有する本体を備えることを特徴とする、請求項１に記載のＬＥＤ発光ユニット。
【請求項２２】
前記ＬＥＤ 光源は前記タイル上に前記接続された端部コネクタから遠ざかる方向に伸びているジグザグ状の格子状に配置されることを特徴とする、請求項２１に記載のＬＥＤ発光ユニット。
【請求項２３】
ＬＥＤ光源のそれぞれ1つは、封じ剤の中に少なくとも１つのＬＥＤチップを備え、
前記少なくとも１つのＬＥＤチップより上の前記端部コネクタの高さおよび前記端部コネクタの上表面から前記少なくとも１つのＬＥＤチップまでの最も近い距離は、前記少なくとも１つのＬＥＤチップから前記端部コネクタの直近の上面への接線光線の角度が水平に対して３０°を超えないように構成されている、
ことを特徴とする、請求項１に記載のＬＥＤ発光ユニット。
【請求項２４】
ＬＥＤ光源のそれぞれ1つは、封じ剤の中に少なくとも１つのＬＥＤチップを備え、
前記少なくとも１つのＬＥＤチップより上の前記端部コネクタの高さ、および前記端部コネクタの上表面から前記少なくとも１つのＬＥＤチップまでの最も近い距離は、前記少なくとも１つのＬＥＤチップから前記端部コネクタの直近の上面への接線光線の角度が水平に対して７°を超えないように構成されている、
ことを特徴とする、請求項２３に記載のＬＥＤ発光ユニット。
【請求項２５】
前記タイルは、その端部に沿って少なくとも１つの刻み目を備え、
前記端部コネクタは、中に区画された空洞を持つ本体と、前記空洞の少なくとも１部分に沿って本体から伸びている少なくとも１つの長く伸びた部材とを備え、前記端部コネクタの上面が前記タイルの上面に関して上に向いているときは、前記空洞の中に位置する前記長く伸びた部材は、前記タイルの中の刻み目へスライドして、前記端部コネクタをガイドして、前記端部コネクタのコンタクトと前記タイル上パッドとを位置合わせをし、前記端部コネクタの下面が前記タイルの上面に関して上に向いているときは、前記端部コネクタの前記タイルへの接続を阻止するように構成されている、
ことを特徴とする、請求項１に記載のＬＥＤ発光ユニット。
【国際調査報告】
2009516357.tif 000026
2009516357.tif 000027
2009516357.tif 000028